(57)【要約】 【課題】 遮断器本体が断路位置であって、且つ、シャッタが閉じた状態でなければ扉を開けることができず、さらに、扉が開いた状態では遮断器本体を接続位置などに移動できないような安全性に優れた回路遮断器収納箱のインターロック装置を提供する。【解決手段】引出枠３には時計方向に付勢された第１レバー６２を設け、遮断器本体２には断路位置で窪み６２ｄに対向するピン６４と上方に付勢されているスライダ６７と扉１ａの開閉に追随して回転する第２レバー７０と引出操作ハンドルの装着を阻止するシャッタ４０とを設け、扉１ａにはピン７３を備え時計方向に付勢されたレバー７２を設け、開いた状態にしたときのシャッタ４０の回転腕４０ａを、扉１ａを開ける動作に追随してピン７３が窪み６２ｂの左縁を押して第１レバー６２が反時計方向に回転したとき下方にスライドするスライダ６７の動作を阻止する位置に設ける。【選択図】 図１
2005184943.tif 000002
【特許請求の範囲】
【請求項１】
遮断器本体（２）と、引出枠（３）と、着脱自在の引出操作ハンドル（２４）及び該引出操作ハンドルの装着孔（１９ａ）を開閉するシャッタ（４０）を有し前記遮断器本体を前記引出枠内で移動させる引出操作装置とを有する引出形回路遮断器を収納する扉付きの収納箱（１）のインターロック装置において、
前記引出枠に設けられた第１レバー（６２）と前記扉（１ａ）との間に形成され、係合することによって前記扉の開放を阻止する係合手段であって、前記第１レバーを前記係合手段が係合する方向に付勢するばね（６１）を有する第１係合手段（６２ｂ、７３）と、
前記遮断器本体が断路位置以外の位置にあるとき前記第１レバーが前記第１係合手段の係合が解消する方向へ回転することを阻止する前記遮断器本体に設けられる第１ブロック手段（６４）と、
前記扉の開閉に追随して回転する前記遮断器本体に設けられた第２レバー（７０）と、
前記第１係合手段の係合が解消する方向へ回転する前記第１レバーの回転に連動して一方向へ移動するスライダ（６７）と、
前記スライダを復帰移動する方向に付勢するばね（６６）と、
前記第２レバーと前記スライダとの間に形成され、前記第１レバーが復帰回転したとき該スライダの復帰移動を阻止する第２係合手段（６７ｃ、７０ｂ）と、
を備え、
前記シャッタは、前記装着孔が開放された位置にあるとき前記スライダの前記一方向への移動を阻止する第２ブロック手段（４０ａ）を有し、
前記スライダは、前記一方向に移動した状態にあるとき前記シャッタの前記装着孔を開放する方向への移動を阻止する第３ブロック手段（６７ｂ）を有する、
ことを特徴とする回路遮断器収納箱のインターロック装置。
【請求項２】
前記シャッタは、前記遮断器本体の開閉接触子が接触しているとき前記装着孔を開放することを阻止する前記遮断器本体の開閉機構と連結された開閉インターロック装置のシャッタを兼ねることを特徴とする回路遮断器収納箱のインターロック装置。
【発明の詳細な説明】
【技術分野】
【０００１】
この発明は、回路遮断器を収納する箱、特に引出形の回路遮断器を収納する扉付の収納箱のインターロック装置に関する。
【背景技術】
【０００２】
引出型回路遮断器は、引出枠と、引出枠内を移動する遮断器本体と、遮断器本体を移動させる引出操作装置と、引出枠と遮断器本体に対として設けられる主回路端子及び制御回路端子を有する。この遮断器本体は、引出枠内において、双方の主回路端子及び制御回路端子が接触した接続位置、接続位置から引き出されて制御回路端子だけが接触した試験位置、及び、さらに引き出されて主回路端子及び制御回路端子がともに開離した断路位置の間を移動することができる。
【０００３】
上記のような引出型回路遮断器は扉付の収納箱に収納されて設置されることがあり、扉が開かれているときの感電などに対する安全性を考慮してインターロック装置が設けられることが多い。従来の回路遮断器の収納箱のインターロック装置の例が、特許文献１に示されている。この従来のインターロック装置は、遮断器本体を引出枠内において引出及び挿入方向に移動させる引出操作装置と、この引出操作装置の操作を不可能にするシャッタと、回転自在の軸と、この軸と共に回転するレバーと、シャッタとこのレバーを連結するリンクと、シャッタを閉じる方向に前記軸を回転付勢するばねと、動作軸とを遮断器本体に備え、遮断器本体が引出方向に移動したとき前記動作軸と係合して回転する枠側ロックレバーを引出枠に備え、扉が閉じられているとき前記軸をシャッタを開けた状態に保持する保持部材と、扉が開かないように枠側ロックレバーと共にロック機構を構成する扉側ロック手段とを扉に備え、枠側ロックレバーは、ロック機構がロック作用する方向に回転付勢されるとともに、遮断器本体が断路位置に移動することに応じて前記回転付勢方向とは逆方向に回転し、前記ロック作用が解除されるようにしたものである。
【０００４】
このような構成の従来のインターロック装置は、遮断器本体が断路位置以外の位置にあるときは扉を開くことができず、さらに扉が開いた状態では遮断器本体を挿入できないため遮断器本体が充電状態になることを防止する機能を有していた。
【特許文献１】特開平９−３２０４０８号公報
【発明の開示】
【発明が解決しようとする課題】
【０００５】
上述した特許文献１の実施例に記載のインターロック装置のシャッタは、引出操作ハンドルの装着孔を覆うことによって引出操作を不可能にする構造のものであり、遮断器本体が断路位置に移動してハンドルを取り外すことによって自動的にシャッタが閉じ、扉が開いた状態ではシャッタを開けることができないようになっていた。しかし、引出操作ハンドルを取り外すことなく収納箱の扉を開くという操作を行ったときは、引出操作ハンドルの形状と扉の形状によっては扉を開くことが可能であるという問題があった。
一方、引出型回路遮断器には、開閉接触子が接触している状態で遮断器本体を移動操作させたとき、引出枠と遮断器本体の端子間でアークが発生するという危険性がある。このため、このような移動操作を阻止するための開閉インターロック装置と呼ばれる装置が設けられるのが一般的である。引用文献１の実施例に記載されている回路遮断器は、段落番号（００１２）に記載のごとく、開閉インターロック装置用として収納箱のインターロック用とは別のシャッタを必要としていた。
したがって、本願発明の目的は、遮断器本体が断路位置になければ扉を開閉することができず、シャッタが閉じた状態でなければ扉を開けることができず、扉が開いた状態ではシャッタを開けることができない安全性に優れた回路遮断器収納箱のインターロック装置を提供することである。
【課題を解決するための手段】
【０００６】
上記の問題を解決するために、請求項１の発明は、遮断器本体（２）と、引出枠（３）と、着脱自在の引出操作ハンドル（２４）及び該引出操作ハンドルの装着孔（１９ａ）を開閉するシャッタ（４０）を有し遮断器本体を引出枠内で移動させる引出操作装置とを有する引出形回路遮断器を収納する扉付きの収納箱（１）のインターロック装置において、
引出枠に設けられた第１レバー（６２）と扉（１ａ）との間に形成され、係合することによって扉の開放を阻止する係合手段であって、第１レバーを係合手段が係合する方向に付勢するばね（６１）を有する第１係合手段（６２ｂ、７３）と、
遮断器本体が断路位置以外の位置にあるとき第１レバーが第１係合手段の係合が解消する方向へ回転することを阻止する遮断器本体に設けられる第１ブロック手段（６４）と、
扉の開閉に追随して回転する遮断器本体に設けられた第２レバー（７０）と、
第１係合手段の係合が解消する方向へ回転する第１レバーの回転に連動して一方向へ移動するスライダ（６７）と、
スライダを復帰移動する方向に付勢するばね（６６）と、
第２レバーとスライダとの間に形成され、第１レバーが復帰回転したとき該スライダの復帰移動を阻止する第２係合手段（６７ｃ、７０ｂ）と、
を備え、
シャッタは、装着孔が開放された位置にあるときスライダの一方向への移動を阻止する第２ブロック手段（４０ａ）を有し、
スライダは、一方向に移動した状態にあるときシャッタの装着孔を開放する方向への移動を阻止する第３ブロック手段（６７ｂ）を有することとしている。
また、請求項２の発明は、上記シャッタは、遮断器本体の開閉接触子が接触しているとき装着孔を開放することを阻止する遮断器本体の開閉機構と連結された開閉インターロック装置のシャッタを兼ねることとしている。
【発明の効果】
【０００７】
請求項１の発明は、遮断器本体が断路位置以外の位置にあるときは、第１ブロック手段と係合して第１レバーが回転しないため第１係合手段の係合が維持されて扉を開けることができないというインターロック機能を有する。また、シャッタを開放させた状態で扉を開けようとしたときは、スライダがシャッタに設けられた第２ブロック手段によって一方向への移動が阻止されるため第１レバーの回転が阻止され扉を開くことができないというインターロック機能を有する。さらに、扉が開けられて第１レバーが復帰回転してもスライダは一方向に移動した状態が維持されるため、第３ブロック手段によってシャッタを開くことができないというインターロック機能を有する。すなわち、シャッタを閉じなければ扉を開くことができず、扉を開けた状態ではシャッタを開くことができないため遮断器本体を試験位置や接続位置に挿入できないこととなり、より安全牲が高められる。
請求項２の発明は、安全を確保して収納箱の扉を開閉できる収納箱のインターロック機能と開閉接触子が閉路状態にあるときに遮断器本体を移動させることを防止できる開閉インターロック機能を一つのシャッタで実現できるという効果を奏する。
【発明を実施するための最良の形態】
【０００８】
本発明の実施の形態を、図１ないし図１０に示されている実施例において説明する。
図２は、この発明によるインターロック装置の要部を示す回路遮断器収納箱の全体図を示す平面図であって、１は回路遮断器収納箱、１ａは収納箱１のヒンジ形の扉、外形が鎖線で示されている２は遮断器本体、３は遮断器本体と共に引出形回路遮断器を構成し回路遮断器収納箱１に固定される引出枠、４はこの発明によるインターロック装置の一部である。なお、図２及び図4を参照して、断路位置にあるとき遮断器本体２の主回路端子２ａ及び制御回路端子２ｂはそれぞれ引出枠３の主回路端子３ａ及び制御回路端子３ｂから開離し、遮断器本体２が完全に電気的に絶縁された状態にある。図２を参照して、この断路位置において、遮断器本体２は、扉１ａから寸法Ａだけ突き出た位置にある。すなわち、扉１ａには遮断器本体２の正面部分が突き出るに十分な孔が形成されている。この断路位置から右方向に移動して遮断器本体２が接続位置になったとき、遮断器本体２の後述するフロントカバー５と扉１ａが略同一平面に位置する状態となる。
【０００９】
遮断器本体２は、後述する引出操作装置のほかに、開閉接触子、開閉接触子を制御する開閉機構及び開閉接触子を閉路（ＯＮ）させるエネルギーを蓄勢するばね蓄勢機構を有するが、それらは本願の主要部ではないため詳細説明および図示を省略する。
【００１０】
図３及び図４はこの引出型回路遮断器の正面図及び側面図であって、遮断器本体２のフロントカバー５には、ばね蓄勢機構のばね蓄勢ハンドル６、ばね蓄勢状態表示窓７、蓄勢したばねを釈放して開閉接触子をＯＮする手動閉路ボタン８用の窓、トリップ機構を動作させて開閉接触子を開路（ＯＦＦ）する手動開路ボタン９用の窓、開閉接触子の開閉状態を表示する開閉状態表示窓１０、引出枠内の遮断器本体の位置を表示する位置表示指針１１用の窓、引出操作装置を操作する着脱自在の引出操作ハンドルを取り付けるための引出操作ハンドル用開口部１２が形成されている。
【００１１】
また、遮断器本体２の左右両側にはローラ１３とレバー１４とが設けられており,引出枠３の左右の側板にはローラ１３が移動するレール１５と水平溝と垂直溝とからなる溝１６とが設けられている。レバー１４はその腕の先端にローラ１７を備え,引出操作装置の動作によって回転する引出メインシャフト１８と共に回転する。
図４を参照して、断路位置にある遮断器本体２の挿入操作を行うとレバー１４が時計方向に回転し、ローラ１７が下方に移動しながら垂直溝の左縁を押し,相対的に遮断器本体２が右方向へ移動して試験位置になる。さらに挿入操作を行うとレバー１４が時計方向に回転し,ローラ１７が上方に移動しながら垂直溝の左縁を押し,遮断器本体２がさらに右方向へ移動して接続位置になる。なお、遮断器本体２は、挿入操作とは逆に、レバー１４を反時計方向に回転させることによって、ローラ１７が溝１６の右縁を押すことによって引き出される。
【００１２】
次に,遮断器本体２の下部に内蔵されている引出操作装置ユニットについて説明する。図５は,断路位置におけるこの引出操作装置を側面から見た図である。この引出操作装置は引出ねじ１９と，ラック２０と，引出メインシャフト１８とを有する。引出ねじ１９は保持枠２１によって回転自在に保持され、図５において左から右方向に延びている。この引出ねじ１９は、その左端に引出操作ハンドル２４を取り付けるための六角形状のハンドル装着穴１９ａ及び後述するロックピン３７と協働するロック孔１９ｃが形成されており，保持枠２１から右側にはねじ部１９ｂが形成されている。ラック２０は，正面側から見たときの断面が冂字状であって回転しないように保持されている。このラック２０の左端部にはナット２２が固着され，上面２０ａには複数の孔２０ｂが形成されている。引出メインシャフト１８は共に回転する歯車２３を備え、遮断器本体２を正面から見たとき左右方向に配置されている。
【００１３】
この引出操作装置は，引出操作ハンドル２４を操作して引出ねじ１９を回転させるとナット２２を介してラック２０が左右方向に移動するラック方式である。このラック２０が移動することによって孔２０ｂと歯車２３の歯がかみ合って引出メインシャフト１８が回転する構造となっており、ラック２０が右方向に移動するように引出操作ハンドル２４を回転させれば遮断器本体２が引き出され,逆に回転させれば挿入される。
【００１４】
次に、この引出操作装置には、接続、試験、断路などの所定の位置に達したとき遮断器本体２をその位置で一旦停止させる位置決め装置が設けられている。
図５を参照して,この位置決め装置は，軸２７によって回転自在に設けられた中継レバー２８と，軸２９上に回転自在に設けられ図示されていないばねによって時計方向に付勢されているロック解除レバー３０と，それぞれ連結ピン２５及び２６によってロック解除レバー３０及び中継レバー２９との間に連結されたリンク板Ａ３１と，中継レバー２９に連結されたリンク板Ｂ３２と、引出メインシャフト１８と共に回転するカム板３３とを有し、中継レバー２８にはロック孔１９ｃにはまり込むロックピン３７が取り付けられている。
【００１５】
カム板３３の外周縁３３ａには，遮断器本体２の接続位置，試験位置及び断路位置に対応する位置決め窪み３３ｂ，３３ｃ及び３３ｄが形成されている。リンク板Ｂ３２は左右方向にスライド自在であり，先端にローラ３４が設けられている。なお,中継レバー２８は反時計方向に付勢するとともにリンク板Ｂ３２を右方向へ付勢する図示されていないばねも設けられている。このためローラ３４は,カム板３３が回転したとき外周縁３３ａ上を相対的に移動し，上述の各窪みにはまり込むようになっている。
【００１６】
この位置決め装置の動作を図５を参照して説明する。断路位置では,ロックピン３７が引出ねじ１９のロック孔１９ｃに嵌まり込んでいるため,引出操作ハンドル２４を回転させることができない状態にある。また、ローラ３４が窪み３３ｄに嵌まり込んでいる。
遮断器本体２を試験位置に移動させるためにロック解除レバー３０を反時計方向に回転させると, リンク板Ａ３１を介して中継レバー２８が時計方向に回転し,ロックピン３７がロック孔１９ｃから離脱し、引出ねじ１９は回転可能な状態となる。この動作と並行して、中継レバー２８の回転によってリンク板Ｂ３２が左方向に移動し,ローラ３４が窪み３３ｄの開口部付近まで移動する。この状態でロック解除レバー３０を自由状態にしても時計方向に復帰回転しないため、ローラ３４が窪み３３ｄの開口部にとどまった状態が維持される。すなわち、自由状態にしたとき、ロック解除レバー３０がストッパ３５に接し,ロック解除レバー３０に加わる時計方向の付勢力と中継レバー２８に加わる反時計方向の付勢力がリンク板Ａ３１の両端から作用し合って,ロック解除レバー３０が反時計方向に回転した状態が維持される。（この状態は図示されていない。）
【００１７】
このとき、中継レバー２８の回転によって後述するシャッタ４０が時計方向に回転して、ハンドル装着穴１９ａが開放状態となる。この状態で引出操作ハンドル２４を装着して挿入操作方向にカム板３３を時計方向にわずかに回転させたとき,ローラ３４が窪み３３ｄの開口部の略円弧状の（図５において下側の）角縁から外周縁３３ａ上に相対的に移動する。この移動は,リンク板Ｂ３２を左方向に移動させ,中継レバー２８を時計方向に回転させる。この回転によって、上述した中継レバー２８に加わる反時計方向の付勢力が解消するため,ロック解除レバー３０は時計方向に復帰回転する。そして,中継レバー２８も反時計方向に回転し,リンク板Ｂ３２が右方向に移動し,ローラ３４が外周縁３３ａに押し付けられた状態となる。また、ロックピン３７もその先端が引出ねじ１９の外周上を摺動する状態となる。さらに,カム板３３を時計方向に回転させると,ローラ３４が相対的に外周縁３３ａ上を移動して窪み３３ｃに嵌まり込み、ロックピン３７もロック孔１９ｃに嵌まり込んだ試験位置となる。試験位置から同様の操作をすることにより,ローラ３４が窪み３３ｂにはまり込み接続位置の状態にすることができる。なお、位置表示指針１１はラック２０の移動に追随して軸３６を中心として回転して図５において上下方向に移動する。
【００１８】
次に、この引出操作装置には、後述する開閉インターロック装置及び収納箱インターロック装置に利用されるシャッタ４０が取り付けられている。シャッタ４０は軸４１を中心として回転することによって、引出ねじ１９に形成された引出操作ハンドル装着穴１９ａを開放及び閉鎖する。
【００１９】
このシャッタ４０は回転腕４０ａにピン４２を備え、このピン４２と連結ピン２６との間に連結されたリンク４３によって操作される。すなわち、中継レバー２８の時計方向の回転によって時計方向に回転して引出操作ハンドル装着穴１９ａが開放される。前述のごとく引出操作ハンドル２４を操作したとき、装着状態で中継レバー２８が反時計方向に回転してリンク４３が下方に移動するが、ピン４２はリンク４３に形成された長孔４３ａによって連結されているためリンク４３の移動は阻害されない。
【００２０】
次に，図６を参照して、この引出型回路遮断器に設けられた開閉インターロック装置について説明する。クロスバー４９と共に回転するコンタクトレバー５０及びトリップシャフト５１は，遮断器本体２の開閉機構に必須の部材として設けられている。コンタクトレバー５０は開閉接触子を操作する部材であって，時計方向に回転することによって開閉接触子をＯＮにし，反時計方向に回転することによってＯＦＦにする。また，トリップシャフト５１は，開閉機構に含まれているラッチ機構の係合を解除する部材であって，反時計方向に回転することによってラッチ機構の係合を解除させて開閉接触子をＯＦＦにする機能を有する。このトリップシャフト５１が反時計方向に回転した位置にあるときは，ＯＮ操作が行われてもラッチ機構が係合しないため開閉接触子はＯＮにはならない。
【００２１】
この開閉インターロック装置は，２つの腕を有するレバー５２と，連結ピン２６とレバー５２の一方の腕とを連結するリンク５３と，レバー５２の他方の腕とクロスバー５０上に設けられたピン５４とを連結するリンク５５と，リンク５５に設けられたトリップ腕５５ａと，一方の腕がトリップシャフト５１の腕と対向し他方の腕がトリップ腕５５ａと対向するレバー５６と，レバー５２を反時計方向に付勢する図示されていないばねとを有する。
【００２２】
この開閉インターロック装置の動作について説明する。図６は、開閉接触子がＯＮ状態にあり、遮断器本体２が接続位置にあり、且つ、前述した位置決め装置のロック解除レバー３０がロック位置にあるときの状態を示している。この状態にあるとき，リンク５３の下端に形成されている切欠５３ａの上端が連結ピン２６を下方へ押し付けるため、シャッタ４０が閉じた状態にある。この状態において、シャッタ４０を開放するためロック解除レバー３０を反時計方向に回転付勢させたとき、リンク５３、レバー５２を介してリンク５５が下方に付勢される。このような動作は遮断器本体２が断路位置や試験位置にあるときも同様である。
【００２３】
しかし、ＯＮの状態にあるときは、コンタクトレバー５０が実線で示された位置にあって、リンク５５の長孔５５ｂの上端がピン５４と係合するため、ロック解除レバー３０は回転しない。すなわち、シャッタ４０は閉じた状態が維持され遮断器本体２を移動させることができない。開閉接触子をＯＦＦにすると、コンタクトレバー５０及びピン５４が鎖線で示された位置に変位する。この結果、長孔５５ｂの上端がピン５４と係合しないためリンク５５が下方に移動することができ、ロック解除レバー３０を反時計方向に回転させることができる。
【００２４】
次に、この引出型回路遮断器を収納する本願発明による収納箱のインターロック装置について説明する。
この収納箱のインターロック装置は、回路遮断器の下部に設けられる遮断器側部材とこの遮断器側部材に対向するように扉１ａの内側に設けられる扉側部材とによって構成される。図１、図７及び図８は、扉１ａが閉じられ、且つ、前述したシャッタ４０が閉じられているときのこの収納箱のインターロック装置の要部部分図であって、それぞれ回路遮断器の上方から見たときの図、側方から見たときの図及び正面から見たときの図である。前述したように、断路位置にある遮断器本体２は、その正面部分が収納箱の扉１ａから突き出た状態にある。
【００２５】
引出枠３には、軸６０上にばね６１によって（図１において）時計方向に付勢されている第１レバー６２が回転自在に設けられており、ストッパ部材６３と接して停止している。第１レバー６２は、正面側から見たときの断面が逆コ字状に形成されており、その一方の腕６２ａの（図１において）上辺に窪み６２ｂが形成され、他方の腕６２ｃの下辺に窪み６２ｄが形成されている。
【００２６】
また、遮断器本体２の下部には、ピン６４と、一対のピン６５によって保持されるとともにばね６６によって（図１において）上方に付勢されているスライダ６７と、前述したシャッタ４０の回転軸を兼ねる軸４１によって回転自在に支持されるとともにばね６９によって（図７において）時計方向に付勢されているＬ字状の第２レバー７０とが備えられており、前述したシャッタ４０の回転腕４０ａは（図１において）コ字状に曲げられた形状となっている。
【００２７】
さらに、回路遮断器収納箱１の扉１ａの内側には、軸７１上に図示されていないばねによって（図１において）時計方向に付勢されているＬ字状のレバー７２が回転自在に保持されており、その一方の腕が扉１ａの内側に接して停止し、他方の腕にはピン７３が設けられている。
【００２８】
この収納箱のインターロック装置の動作について説明する。図１、図７及び図８を参照して、遮断器本体２が断路位置にあり、開閉接触子がＯＦＦ状態にあり、且つ、シャッタ４０が閉じられた状態において、扉１ａを開ける操作を行うと、（図１において）ヒンジ形の扉１ａは微視的に見ると左方向に変位する。この変位に追随して、ピン７３が窪み６２ｂの左縁を押しながら摺動して第１レバー６２を反時計方向に回転させる。この回転により、（図８において）第１レバー６２の一方の腕６２ａの端部６２ｅによって突起６７ａが押されて、スライダ６７が右方にスライドする。このスライドにより、断面がコ字状に形成されたスライド６７の肩の部分６７ｂに形成された窪み６７ｃが右方向に移動する。なお、このスライダ６７の右方向のスライド動作は、図１において下方向のスライド動作に相当する。
【００２９】
一方、この扉１ａの開放動作において、第１レバー６２の回転動作と並行して、一方の腕７０ａの端部がドアー１ａの内側に押し付けられている第２レバー７０が（図７において）時計方向に回転し、上述したスライダ６７の移動した窪み６７ｃに第２レバー７０の他方の腕７０ｂがはまり込む。このため、扉１ａが完全に開かれて第１レバー６２が復帰回転しても、スライダ６７と第２レバー７０との係合が維持される。この状態が図９に示されている。この扉１ａが開いた状態で、シャッタ４０を（図７において）時計方向に回転させても、回転腕４０ａがスライダの肩の部分７０ｂと当接してその回転が阻止される。すなわち、扉が開いた状態では遮断器本体２を移動させることができないというインターロック機能が作用する。このインターロック機能は、扉１ａを閉じれば、ピン７３が第１レバー６２の一方の腕６２ａの先端部の斜面６２ｆを摺動して第1レバー６２を反時計方向に回転させながら窪み６２ｂにはまり込むとともに、第２レバー７０が（図７において）反時計方向に回転し窪み６７ｃとの係合が消滅してスライダ６７が元の位置に復帰することによって解消する。
【００３０】
次に、遮断器本体２が断路位置にあり、且つ、シャッタ４０が開いた状態にあっては、扉１ａを開くことができないという機能について説明する。この状態で扉１ａを開く操作を行うと、上述の動作と同様に第１レバー６２が（図１において）反時計方向に回転しスライダ６７が下方にスライドする。しかし、図１０に示されているように、開いた状態のシャッタ４０は時計方向に回転した状態にある。このため、スライド動作の初期において、スライダ６７の端部６７ｄがシャッタ４０の回転腕４０ａによってブロックされその移動が阻止される。その結果、第１レバー６２の回転が阻止されるため扉１ａを開放することができない。
【００３１】
次に、遮断器本体２が断路位置以外の位置にあるときも、扉１ａを開くことができないことを説明する。すなわち、（図１において）ピン６４は遮断器本体２の移動に伴い左右方向に移動するが、断路位置以外の場合はピン６４が第１レバー６２の窪み６２ｄと対向する位置にないため、第１レバー６２の下縁がピン６４に接してその回転が阻止され、扉１ａを開けることはできない。なお、特殊な点検などのために、断路位置以外で扉１ａを開けるときは、扉１ａに設けられた小孔１ｂからピンを差し込んでレバー７２を反時計方向に回転させてピン７３が窪み６２ｂと係合しないようにすれば扉１ａを開けることができる。
【図面の簡単な説明】
【００３２】
【図１】本発明による回路遮断器収納箱のインターロック装置の要部を示す平面図である。
【図２】図１のインターロック装置の主要部材の配置を説明する回路遮断器収納箱の平面図である。
【図３】図１のインターロック装置を装着する引出型回路遮断器の正面図である。
【図４】図３の側面図である。
【図５】図４の引出型回路遮断器に装着される引出操作装置の側面図である。
【図６】図４の引出型回路遮断器に装着される開閉インターロック装置の側面図である。
【図７】図１の側面図である。
【図８】図１の正面図である。
【図９】図１のインターロック装置の動作状態を説明する側面図である。
【図１０】図９とは異なる動作状態を説明する側面図である。
【符号の説明】
【００３３】
１  回路遮断器収納箱
１ａ  扉
２  遮断器本体
３  引出枠
１２  引出操作ハンドル用開口部
１９  引出ねじ
１９ａ  ハンドル装着穴
２４  引出操作ハンドル
４０  シャッタ
４０ａ  回転腕
６１  ばね
６２  第１レバー
６２ｂ、６２ｄ  窪み
６４  ピン
６６  ばね
６７  スライダ
６７ｂ  肩部
６７ｃ  窪み
６７ｄ  端部
６９  ばね
７０  第２レバー
７０ａ  一方の腕
７０ｂ  他方の腕
７２  レバー
７３  ピン
【図１】
2005184943.tif 000003
【図２】
2005184943.tif 000004
【図３】
2005184943.tif 000005
【図４】
2005184943.tif 000006
【図５】
2005184943.tif 000007
【図６】
2005184943.tif 000008
【図７】
2005184943.tif 000009
【図８】
2005184943.tif 000010
【図９】
2005184943.tif 000011
【図１０】
2005184943.tif 000012